(57)【要約】【課題】  ＩＣＣが提唱する規格に準拠したプロファイルに従った色変換でキャリブレーションも同時に実現する。【解決手段】  カラープリンタ３０における、画像データ７１，７３が表す色空間座標と画像３２の色の測定値７５とが理想の関係に近づくような修正変換（ここでは階調補正曲線７２）を作成する修正変換作成部７０と、その修正変換が画像データに施されることを前提として、画像データと画像の色との対応関係を表した、ＩＣＣが提唱する規格に準拠したプロファイルを作成するプロファイル作成部８０と、そのプロファイルに修正変換を組み込むプロファイル修正部９０とを備えている。【選択図】        図９
2005141676.tif 000002
【特許請求の範囲】
【請求項１】
画像データと画像とを媒介する任意デバイスに対して非依存の第１色空間と、画像データと画像とを媒介する所定デバイスに依存した第２色空間との間での色変換を定義したプロファイルを作成するプロファイル作成方法であって、
前記所定デバイスにおける前記第２色空間の画像データと画像の色との対応関係を所望の対応関係に近づけるために該画像データを修正する修正変換を、該所定デバイスにおいて実際に媒介された画像データと画像とに基づいて求める修正変換作成過程と、
前記第１色空間と前記第２色空間との間での色変換を表す多次元変換テーブル、および前記第２色空間を構成する座標軸それぞれにおける色変換を表した１次元変換テーブルを有するプロファイルを、前記修正変換作成過程で求められた修正変換と前記所定デバイスによる媒介とを実際に経た画像データと画像とに基づいて作成するプロファイル作成過程と、
前記プロファイル作成過程で作成されたプロファイルが有する１次元変換テーブルに、前記修正変換作成過程で求められた修正変換を反映させるプロファイル修正過程とを有することを特徴とするプロファイル作成方法。
【請求項２】
前記修正変換作成過程が、前記修正変換を、前記所定デバイスにおいて実際に媒介された、原色が混合されてなるグレーの画像を表す画像データとグレーの画像とに基づいて求めるものであることを特徴とする請求項１記載のプロファイル作成方法。
【請求項３】
画像データと画像とを媒介する任意デバイスに対して非依存の第１色空間と、画像データと画像とを媒介する所定デバイスに依存した第２色空間との間での色変換を定義したプロファイルを作成するプロファイル作成装置であって、
前記所定デバイスにおける前記第２色空間の画像データと画像の色との対応関係を所望の対応関係に近づけるために該画像データを修正する修正変換を、該所定デバイスにおいて実際に媒介された画像データと画像とに基づいて求める修正変換作成部と、
前記第１色空間と前記第２色空間との間での色変換を表した多次元変換テーブル、および前記第２色空間を構成する座標軸それぞれにおける色変換を表した１次元変換テーブルを有するプロファイルを、前記修正変換作成部で求められた修正変換と前記所定デバイスによる媒介とを実際に経た画像データと画像とに基づいて作成するプロファイル作成部と、
前記プロファイル作成部で作成されたプロファイルが有する１次元変換テーブルに、前記修正変換作成部で求められた修正変換を反映させるプロファイル修正部とを備えたことを特徴とするプロファイル作成装置。
【請求項４】
コンピュータシステムに組み込まれて、該コンピュータシステムを、画像データと画像とを媒介する任意デバイスに対して非依存の第１色空間と、画像データと画像とを媒介する所定デバイスに依存した第２色空間との間での色変換を定義したプロファイルを作成するプロファイル作成装置として動作させるプロファイル作成プログラムであって、
前記所定デバイスにおける前記第２色空間の画像データと画像の色との対応関係を所望の対応関係に近づけるために該画像データを修正する修正変換を、該所定デバイスにおいて実際に媒介された画像データと画像とに基づいて求める修正変換作成部と、
前記第１色空間と前記第２色空間との間での色変換を表した多次元変換テーブル、および前記第２色空間を構成する座標軸それぞれにおける色変換を表した１次元変換テーブルを有するプロファイルを、前記修正変換作成部で求められた修正変換と前記所定デバイスによる媒介とを実際に経た画像データと画像とに基づいて作成するプロファイル作成部と、
前記プロファイル作成部で作成されたプロファイルが有する１次元変換テーブルに、前記修正変換作成部で求められた修正変換を反映させるプロファイル修正部とを備えたプロファイル作成装置として動作させることを特徴とするプロファイル作成プログラム。
【請求項５】
コンピュータシステムに組み込まれて、該コンピュータシステムを、画像データと画像とを媒介する任意デバイスに対して非依存の第１色空間と、画像データと画像とを媒介する所定デバイスに依存した第２色空間との間での色変換を定義したプロファイルを作成するプロファイル作成装置として動作させるプロファイル作成プログラムが、該コンピュータシステムで読み取り可能に記憶されてなるプロファイル作成プログラム記憶媒体であって、
前記所定デバイスにおける前記第２色空間の画像データと画像の色との対応関係を所望の対応関係に近づけるために該画像データを修正する修正変換を、該所定デバイスにおいて実際に媒介された画像データと画像とに基づいて求める修正変換作成部と、
前記第１色空間と前記第２色空間との間での色変換を表した多次元変換テーブル、および前記第２色空間を構成する座標軸それぞれにおける色変換を表した１次元変換テーブルを有するプロファイルを、前記修正変換作成部で求められた修正変換と前記所定デバイスによる媒介とを実際に経た画像データと画像とに基づいて作成するプロファイル作成部と、
前記プロファイル作成部で作成されたプロファイルが有する１次元変換テーブルに、前記修正変換作成部で求められた修正変換を反映させるプロファイル修正部とを備えたプロファイル作成装置として動作させるプロファイル作成プログラムが記憶されてなることを特徴とするプロファイル作成プログラム記憶媒体。
【請求項６】
画像データと画像とを媒介する任意デバイスに対して非依存の第１色空間と、画像データと画像とを媒介する所定デバイスに依存した第２色空間との間での色変換を定義したプロファイルであって、
前記第１色空間と前記第２色空間との間での色変換を表した多次元変換テーブルと、
前記所定デバイスによって媒介される画像データと画像との対応関係を所望の対応関係に近づけるための修正変換が反映された、前記第２色空間を構成する座標軸それぞれにおける色変換を表した１次元変換テーブルとを備えたことを特徴とするプロファイル。
【発明の詳細な説明】
【技術分野】
【０００１】
本発明は、デバイスに非依存の第１色空間とデバイスに依存した第２色空間との間での色変換を定義したプロファイルを作成するプロファイル作成方法、プロファイル作成装置、コンピュータシステムに組み込まれてそのコンピュータシステムをプロファイル作成装置として動作させるプロファイル作成プログラム、そのようなプロファイル作成プログラムが記憶されているプロファイル作成プログラム記憶媒体、およびプロファイルに関する。
【背景技術】
【０００２】
例えば、記録された画像を読み取って画像データを得るカラースキャナや、固体撮像素子上に被写体の画像を結像して読み取ることにより画像データを得るＤＳＣ（ディジタルスチルカメラ）等、画像を入力して画像データを得る、様々なタイプの入力デバイスが知られている。これらの入力デバイスでは、画像データは、例えばＲ（レッド）、Ｇ（グリーン）、Ｂ（ブルー）の３色についてそれぞれ例えば０〜２５５等の決まった範囲のデータで表わされるが、Ｒ、Ｇ、Ｂ３色についてそれぞれ決まった範囲内の数値で表現することのできる色には自ずと限界があり、元々の画像の色が極めて豊かな表現を持っていたとしても、一旦入力デバイスを用いて画像データに変換すると、その画像データによって表わされる画像は、そのＲ、Ｇ、Ｂ色空間の領域内の色に制限されることになる。
【０００３】
また、画像データに基づいて画像を出力する出力デバイスについても、例えば、印画紙上をレーザ光で露光してその印画紙を現像することにより印画紙上に画像を記録する写真プリンタ、電子写真方式やインクジェット方式などの方式で用紙上に画像を記録するプリンタ、輪転機を回して多量の印刷物を作成する印刷機、画像データに基づいて表示画面上に画像を表示するＣＲＴディスプレイやプラズマディスプレイ等の画像表示装置等、様々なタイプの出力デバイスが知られているが、これらの出力デバイスについても上述の入力デバイスと同様、各出力デバイスに応じた色表現領域が存在する。すなわち、出力デバイスは、例えばＲ、Ｇ、Ｂ３色を表現する画像データやＣ（シアン）、Ｍ（マゼンタ）、Ｙ（イエロー）、Ｋ（墨）の４色を表現する画像データに基づいて様々な色を表現することができるが、その表現できる色は、出力デバイス色空間（例えばＲＧＢ空間、ＣＭＹＫ空間等）の領域内（例えばＲ、Ｇ、Ｂそれぞれについて０〜２５５の範囲の数値で表わされる色表現領域内等）に制限される。
【０００４】
また、例えばある１つの画像データ（例えば（Ｒ、Ｇ、Ｂ）＝（５０，１００，２００）を表わす画像データ）であってもその画像データに基づいて得られる画像の色は出力デバイスの種類により異なる。この点は入力デバイスと出力デバイスとの間でも同様であり、ある入力デバイスで得られた（Ｒ、Ｇ、Ｂ）＝（５０，１００，２００）の画像データをそのまま用いて、ある出力デバイスで画像を出力しても、入力デバイスで入力される元になった画像の色と出力デバイスで出力された画像の色は一般には一致しない。したがって、ある入力デバイスで画像を読み取って画像データを得、その画像データを基にして、ある出力デバイスで元の画像を再現しようとしたとき、入力デバイスで得られた画像データをそのまま出力デバイスに送るのではなく、その間で画像データを変換する必要がある。ここでは画像の色に着目した変換を行っており、この画像データの変換を色変換と称する。また、この色変換前後の画像データの相互関係を定義するＬＵＴ（ルックアップテーブル）などのことをプロファイルと称する。
【０００５】
近年では、入力デバイスと出力デバイスとが相互に接続された、複数種類の入力デバイスや複数種類の出力デバイスが任意に組み込み可能なデバイス非依存のシステムを構築することが望まれている。そのようなデバイス非依存のシステムでは、デバイス間で色変換を行なうにあたって、デバイスには依存しない共通色空間（Ｄｅｖｉｃｅ  Ｉｎｄｅｐｅｎｄｅｎｔ  Ｄａｔａの空間）、例えばＬ*ａ*ｂ*（以下Ｌａｂと略記する）色空間等を中間に置き、入力デバイスで得られた入力デバイスに依存した色空間上の画像データを共通色空間上の画像データに変換する色変換と、その共通色空間上の画像データを、出力デバイスに依存した色空間上の画像データに変換する色変換とを経る手法が採用されている。このデバイス非依存のシステムでは、上述したプロファイルとして、入力デバイスに依存した色空間と共通色空間との間での色変換を定義する入力プロファイルと、出力デバイスに依存した色空間と共通色空間との間での色変換を定義する出力プロファイルが作成される（例えば、特許文献１参照。）。
【０００６】
このような入力プロファイルや出力プロファイルについては、国際的な機関であるＩＣＣ（Ｉｎｔｅｒｎａｔｉｏｎａｌ  Ｃｏｌｏｒ  Ｃｏｎｓｏｒｔｉｕｍ）が統一的なデータ構造などを提唱しており、このＩＣＣが提唱しているデータ構造などに準拠したプロファイルはＩＣＣプロファイルと称されている。現在では、このようなＩＣＣプロファイルの普及が進んでおり、このＩＣＣプロファイルを前提とした色変換装置や、ＩＣＣプロファイルを作成するプロファイル作成装置、プロファイル作成プログラムなども普及してきている。
【０００７】
また、上述した入力デバイスや出力デバイスにおいては、外部環境の変化や内部状態の経時的あるいはランダムな変化などに起因して、出力される画像の色や、画像を読み込んで認識される色が変化する。このため、いわゆるキャリブレーションと称される、デバイスの出力色や認識色を所定の目標色に合わせる作業が行われている。
【０００８】
ここで、出力色のキャリブレーションを例に説明すると、広義のキャリブレーションには、出力デバイスのハードウェアを調整することによって出力色を調整する方式も含まれるが、より簡便なキャリブレーションとしては、出力デバイス用の画像データに補正処理を施すことによって出力色を調整する方式が知られており、主に、画像の色の階調を補正する階調補正処理を画像データに施すことによって出力色を目標色に合わせる方式が用いられる。この階調補正処理においては、例えば、Ｃ（シアン）、Ｍ（マゼンタ）、Ｙ（イエロー）、およびＫ（黒）の各色ごとに、ＬＵＴ（ルックアップテーブル）等の形式で階調補正曲線を定義しておき、ＣＭＹＫの各画像データを各階調補正曲線に基づいて変換するという処理が行われている（例えば、特許文献２参照。）。
【特許文献１】特開２００１−１９７３２３号公報（第７頁、第４〜５図）
【特許文献２】特開２００１−２４５１７１号公報（第１１頁、第８図）
【発明の開示】
【発明が解決しようとする課題】
【０００９】
しかし、このようなキャリブレーションは、上述したプロファイルの作成やプロファイルによる色変換とは異なり、国際的機関などによる統一的な規格の提唱などはなされておらず、デバイスのメーカなどが提供する独自の規格によって階調補正曲線の作成やキャリブレーションが行われているのが現状である。
【００１０】
このため、プロファイルによる色変換と階調補正曲線によるキャリブレーションとの双方を１つのシステム内に導入する場合には、それぞれを実行する装置やプログラムを組み込む必要があるし、上述したようなデバイス非依存のシステムを構築するような場合には、システムに組み込まれる可能性がある種々のデバイスそれぞれに応じたキャリブレーションの各種プログラムを用意する必要があるため、システムが極めて煩雑となる。
【００１１】
本発明は上記事情に鑑み、ＩＣＣが提唱する規格に準拠した色変換でキャリブレーションも同時に実現することができるようなプロファイルを作成するプロファイル作成方法、プロファイル作成装置、コンピュータシステムに組み込まれてそのコンピュータシステムをそのようなプロファイル作成装置として動作させるプロファイル作成プログラム、そのようなプロファイル作成プログラムを記憶したプロファイル作成プログラム記憶媒体、およびそのようなプロファイルを提供することを目的とする。
【課題を解決するための手段】
【００１２】
上記目的を達成する本発明のプロファイル作成方法は、
画像データと画像とを媒介する任意デバイスに対して非依存の第１色空間と、画像データと画像とを媒介する所定デバイスに依存した第２色空間との間での色変換を定義したプロファイルを作成するプロファイル作成方法であって、
上記所定デバイスにおける上記第２色空間の画像データと画像の色との対応関係を所望の対応関係に近づけるためにその画像データを修正する修正変換を、その所定デバイスにおいて実際に媒介された画像データと画像とに基づいて求める修正変換作成過程と、
上記第１色空間と上記第２色空間との間での色変換を表した多次元変換テーブル、および上記第２色空間を構成する座標軸それぞれにおける色変換を表した１次元変換テーブルを有するプロファイルを、修正変換作成過程で求められた修正変換と上記所定デバイスによる媒介とを実際に経た画像データと画像とに基づいて作成するプロファイル作成過程と、
プロファイル作成過程で作成されたプロファイルが有する１次元変換テーブルに、修正変換作成過程で求められた修正変換を反映させるプロファイル修正過程とを有することを特徴とする。
【００１３】
本発明のプロファイル作成方法によれば、修正変換作成過程でメーカ独自の方式などによって適切なキャリブレーションを行った後で、ＩＣＣが提唱する規格に準拠した構造のプロファイルを作成し、そのキャリブレーションを実現する修正変換をそのプロファイルに組み込むので、ＩＣＣが提唱する規格に準拠するとともに色変換とキャリブレーションを同時に実現することができるプロファイルを作成することができる。
【００１４】
ここで、本発明のプロファイル作成方法は、上記修正変換作成過程が、上記修正変換を、上記所定デバイスにおいて実際に媒介された、原色が混合されてなるグレーの画像を表す画像データとグレーの画像とに基づいて求めるものであることが好適である。
【００１５】
グレーという色に対する人間の評価は厳しく、多少でも彩度が加わると否定的な評価を受けるので、上記修正変換作成過程で、グレーを構成する原色の適切なバランスが得られる修正変換を求めておくことにより、最終的に作成されるプロファイルによって実現されるキャリブレーションの質が向上する。
【００１６】
上記目的を達成する本発明のプロファイル作成装置は、
画像データと画像とを媒介する任意デバイスに対して非依存の第１色空間と、画像データと画像とを媒介する所定デバイスに依存した第２色空間との間での色変換を定義したプロファイルを作成するプロファイル作成装置であって、
上記所定デバイスにおける上記第２色空間の画像データと画像の色との対応関係を所望の対応関係に近づけるためにその画像データを修正する修正変換を、その所定デバイスにおいて実際に媒介された画像データと画像とに基づいて求める修正変換作成部と、
上記第１色空間と上記第２色空間との間での色変換を表した多次元変換テーブル、および上記第２色空間を構成する座標軸それぞれにおける色変換を表した１次元変換テーブルを有するプロファイルを、修正変換作成部で求められた修正変換と上記所定デバイスによる媒介とを実際に経た画像データと画像とに基づいて作成するプロファイル作成部と、
プロファイル作成部で作成されたプロファイルが有する１次元変換テーブルに、修正変換作成部で求められた修正変換を反映させるプロファイル修正部とを備えたことを特徴とする。
【００１７】
本発明のプロファイル作成装置によれば、本発明のプロファイル作成方法と同様に、ＩＣＣが提唱する規格に準拠するとともに色変換とキャリブレーションを同時に実現することができるプロファイルを作成することができる。
【００１８】
上記目的を達成する本発明のプロファイル作成プログラムは、
コンピュータシステムに組み込まれて、そのコンピュータシステムを、画像データと画像とを媒介する任意デバイスに対して非依存の第１色空間と、画像データと画像とを媒介する所定デバイスに依存した第２色空間との間での色変換を定義したプロファイルを作成するプロファイル作成装置として動作させるプロファイル作成プログラムであって、
上記所定デバイスにおける上記第２色空間の画像データと画像の色との対応関係を所望の対応関係に近づけるためにその画像データを修正する修正変換を、その所定デバイスにおいて実際に媒介された画像データと画像とに基づいて求める修正変換作成部と、
上記第１色空間と上記第２色空間との間での色変換を表した多次元変換テーブル、および上記第２色空間を構成する座標軸それぞれにおける色変換を表した１次元変換テーブルを有するプロファイルを、修正変換作成部で求められた修正変換と上記所定デバイスによる媒介とを実際に経た画像データと画像とに基づいて作成するプロファイル作成部と、
プロファイル作成部で作成されたプロファイルが有する１次元変換テーブルに、修正変換作成部で求められた修正変換を反映させるプロファイル修正部とを備えたプロファイル作成装置として動作させることを特徴とする。
【００１９】
また、上記目的を達成する本発明のプロファイル作成プログラム記憶媒体は、
コンピュータシステムに組み込まれて、そのコンピュータシステムを、画像データと画像とを媒介する任意デバイスに対して非依存の第１色空間と、画像データと画像とを媒介する所定デバイスに依存した第２色空間との間での色変換を定義したプロファイルを作成するプロファイル作成装置として動作させるプロファイル作成プログラムが、コンピュータシステムで読み取り可能に記憶されてなるプロファイル作成プログラム記憶媒体であって、
上記所定デバイスにおける上記第２色空間の画像データと画像の色との対応関係を所望の対応関係に近づけるためにその画像データを修正する修正変換を、その所定デバイスにおいて実際に媒介された画像データと画像とに基づいて求める修正変換作成部と、
上記第１色空間と上記第２色空間との間での色変換を表した多次元変換テーブル、および上記第２色空間を構成する座標軸それぞれにおける色変換を表した１次元変換テーブルを有するプロファイルを、修正変換作成部で求められた修正変換と上記所定デバイスによる媒介とを実際に経た画像データと画像とに基づいて作成するプロファイル作成部と、
プロファイル作成部で作成されたプロファイルが有する１次元変換テーブルに、修正変換作成部で求められた修正変換を反映させるプロファイル修正部とを備えたプロファイル作成装置として動作させるプロファイル作成プログラムが記憶されてなることを特徴とする。
【００２０】
本発明のプロファイル作成プログラムおよび本発明のプロファイル作成プログラム記憶媒体によれば、本発明のプロファイル作成装置をコンピュータシステム内で容易に実現することができる。
【００２１】
なお、本発明にいうプロファイル作成装置およびプロファイル作成プログラムについては、ここではその基本形態のみを示すのにとどめるが、これは単に重複を避けるためであり、本発明にいうプロファイル作成装置およびプロファイル作成プログラムには、上記の基本形態のみではなく、前述したプロファイル作成方法の各形態に対応する各種の形態が含まれる。
【００２２】
また、上記本発明のプロファイル作成装置と、上記プロファイル作成プログラムとでは、それらを構成する構成要素名として、修正変換作成部などといった互いに同一の名称を付しているが、プロファイル作成プログラムの場合は、そのような作用をなすソフトウェアを指し、プロファイル作成装置の場合は、ハードウェアを含んだものを指している。
【００２３】
また、本発明にいうプロファイル作成プログラムが組み込まれるコンピュータシステムは、１台のコンピュータと周辺機器からなるものであってもよく、あるいは複数台のコンピュータを含むものであってもよい。
【００２４】
さらに、本発明のプロファイル作成プログラムを構成する修正変換作成部などといった構成要素は、１つの構成要素の機能が１つのプログラム部品によって担われるものであってもよく、１つの構成要素の機能が複数のプログラム部品によって担われるものであってもよく、複数の構成要素の機能が１つのプログラム部品によって担われるものであってもよい。また、これらの構成要素は、そのような作用を自分自身で実行するものであってもよく、あるいは、コンピュータに組み込まれている他のプログラムやプログラム部品に指示を与えて実行させるものであっても良い。
【００２５】
上記目的を達成する本発明のプロファイルは、
画像データと画像とを媒介する任意デバイスに対して非依存の第１色空間と、画像データと画像とを媒介する所定デバイスに依存した第２色空間との間での色変換を定義したプロファイルであって、
上記第１色空間と上記第２色空間との間での色変換を表した多次元変換テーブルと、
上記所定デバイスによって媒介される画像データと画像との対応関係を所望の対応関係に近づけるための修正変換が反映された、上記第２色空間を構成する座標軸それぞれにおける色変換を表した１次元変換テーブルとを備えたことを特徴とする。
【００２６】
本発明のプロファイルにおける、多次元変換テーブルおよび１次元変換テーブルを備えた構造は、ＩＣＣが提唱する規格に準拠した構造である。本発明のプロファイルによれば、１次元変換テーブルに、いわゆるキャリブレーションを実現する修正変換が反映されているので、本発明のプロファイルを用いることによって、ＩＣＣが提唱する規格に準拠した色変換でキャリブレーションが同時に実現されることとなる。
【発明の効果】
【００２７】
以上説明したように、本発明によれば、ＩＣＣが提唱する規格に準拠した色変換でキャリブレーションも同時に実現することができる。
【発明を実施するための最良の形態】
【００２８】
以下、本発明の実施の形態を説明する。
【００２９】
図１は、本発明が適用される画像出力システムの全体構成図である。
【００３０】
この画像出力システムは、パーソナルコンピュータ２０とカラープリンタ３０とで構成されており、この画像出力システムには、原稿画像１１を読み取って画像データを生成するカラースキャナ１０が接続されている。パーソナルコンピュータ２０は、カラースキャナ１０から画像データを受け取って、カラープリンタ３０に適した画像出力用の画像データに変換して出力し、カラープリンタ３０はその画像データに従って画像３１を出力する。
【００３１】
パーソナルコンピュータ２０には、画像データを変換する際に、ＩＣＣが提唱する規格に準拠した色変換を施す機能や、ＩＣＣが提唱する規格に準拠したプロファイルを作成する機能も組み込まれている。パーソナルコンピュータ２０には、さらに、前述のキャリブレーションを実現する階調補正曲線を作成する機能も組み込まれており、プロファイルや階調補正曲線を作成する際には、複数のパッチが配列されたチャート３２を表したチャートデータをカラープリンタ３０に出力する。
【００３２】
カラープリンタ３０は、そのチャートデータに従ってチャート３２を出力し、そのチャート３２を構成するパッチの色が分光測色計４０によって測定される。分光測色計４０による測定結果はパーソナルコンピュータ２０に入力され、後述するようにプロファイルや階調補正曲線の作成に用いられる。
【００３３】
この図１に示す画像出力システムには、画像に応じた画像データを生成する入力デバイスの一例としてカラースキャナ１０が接続され、画像データに応じた画像を出力する出力デバイスの一例としてのカラープリンタ３０が備えられている。このカラースキャナ１０は、透過型のカラースキャナであってもよく、反射型のカラースキャナであってもよく、その読込方式の如何を問うものではない。また、カラープリンタ３０は、電子写真方式のカラープリンタであってもよく、インクジェット方式のカラープリンタであってもよく、そのプリント方式の如何を問うものではない。
【００３４】
さらに、入力デバイスはスキャナに限定されるものではなく、デジタルスチルカメラなどであってもよいし、出力デバイスはプリンタに限定されるものではなく、印刷機などであってもよい。更にまた、画像出力システムには、入力デバイス以外の、例えばコンピュータグラフィックス作成装置などが接続されてもよい。ただし、ここでは、入力デバイスの一例としてカラースキャナ１０が接続され、出力デバイスの一例としてカラープリンタ３０を備えた画像出力システムを前提として説明する。
【００３５】
ここで、この図１に示す画像出力システムに本発明の一実施形態が適用されるに際しては、パーソナルコンピュータ２０に適用されるので、以下、このパーソナルコンピュータ２０について説明する。
【００３６】
図２は、分光測色計３０およびパーソナルコンピュータ２０の外観斜視図であり、図３は、そのパーソナルコンピュータ２０のハードウェア構成図である。
【００３７】
この図２に示す分光測色計４０には、オペレータによってチャート３２が乗せられる。このチャート３２は複数のパッチが配列されたものであり、これらのパッチそれぞれについて測色値や濃度値が分光測色計４０によって測定される。この分光測色計４０での測定により得られた各パッチの測定値は、ケーブル４１を経由してパーソナルコンピュータ２０に入力される。
【００３８】
このチャート３２は、図１に示すカラープリンタ３０でのプリント出力により作成されたものであり、パーソナルコンピュータ２０では、そのチャート３２の各パッチの測定値に基づいてプロファイルや階調補正曲線が作成される。この点に関する詳細説明は後に譲り、ここでは、次に、パーソナルコンピュータ２０のハードウェア構成について説明する。
【００３９】
このパーソナルコンピュータ２０は、外観構成上、本体装置２１、その本体装置２１からの指示に応じて表示画面２２ａ上に画像を表示する画像表示装置２２、本体装置２１に、キー操作に応じた各種の情報を入力するキーボード２３、および、表示画面２２ａ上の任意の位置を指定することにより、その位置に表示された、例えばアイコン等に応じた指示を入力するマウス２４を備えている。この本体装置２１は、外観上、フレキシブルディスク（ＦＤ）を装填するためのＦＤ装填口２１ａ、およびＣＤ−ＲＯＭを装填するためのＣＤ−ＲＯＭ装填口２１ｂを有する。
【００４０】
本体装置２１の内部には、図３に示すように、各種プログラムを実行するＣＰＵ２１１、ハードディスク装置２１３に格納されたプログラムが読み出されＣＰＵ２１１での実行のために展開される主メモリ２１２、各種プログラムやデータ等が保存されたハードディスク装置２１３、フレキシブルディスク５０が装填されその装填されたフレキシブルディスク５０をアクセスするＦＤドライブ２１４、ＣＤ−ＲＯＭ５１が装填され、その装填されたＣＤ−ＲＯＭ５１をアクセスするＣＤ−ＲＯＭドライブ２１５、分光測色計４０（図１，図２参照）から測色データを受け取り、カラープリンタ３０（図１参照）に画像データを送る入出力インタフェース２１６が内蔵されており、これらの各種要素と、さらに、図１にも示す画像表示装置２２、キーボード２３、マウス２４は、バス２５を介して相互に接続されている。
【００４１】
ここで、ＣＤ−ＲＯＭ５１には、本発明にいうプロファイル作成プログラムの一例が記憶されており、そのＣＤ−ＲＯＭ５１はＣＤ−ＲＯＭドライブ２１５に装填され、そのＣＤ−ＲＯＭ５１に記憶されたプロファイル作成プログラムがこのパーソナルコンピュータ２０にアップロードされてハードディスク装置２１３に記憶される。そして、このプロファイル作成プログラムが起動されて実行されることにより、図１〜図３に示すパーソナルコンピュータ２０が本発明のプロファイル作成装置の一実施形態として動作するとともに、パーソナルコンピュータ２０によって本発明のプロファイル作成方法の一実施形態が実行される。
【００４２】
本発明にいうプロファイル作成プログラムの一例が記憶された状態にあるＣＤ−ＲＯＭ５１、ハードディスク装置２１３はいずれも本発明のプロファイル作成プログラム記憶媒体の一例に相当し、そのプロファイル作成プログラムの一例が上記ＦＤ５０にダウンロードされた場合には、そのＦＤ５０も本発明のプロファイル作成プログラム記憶媒体の一例に相当する。
【００４３】
一方、画像データに色変換を施す機能についてはパーソナルコンピュータ２０に組み込み済みであるものとして説明する。
【００４４】
次に、ＩＣＣが提唱する規格に準拠したプロファイル、そのプロファイルを用いた色変換、およびプロファイルの基本的な作成方法について説明する。
【００４５】
まず、スキャナプロファイルについて説明する。
【００４６】
図４は、スキャナプロファイルの概念図である。
【００４７】
このスキャナプロファイルＴには、ＣＭＹ色空間の座標（ＣＭＹ値：本発明にいう第１色空間の座標の一例）で定義された画像データのＣＭＹ値が入力され、そのＣＭＹ値が、Ｌａｂ色空間の座標（Ｌａｂ値：本発明にいう第２色空間の座標の一例）で定義された画像データにおけるＬａｂ値に変換される。
【００４８】
ここでは、スキャナプロファイルはそのスキャナのメーカで既に作成されてスキャナとともに納品されているものとし、したがってここでは、スキャンプロファイルをあらためて作成する必要はないが、以下では、そのスキャナプロファイルを新たに作成するとした場合の基本的な作成方法について説明する。
【００４９】
図１に示すスキャナ１０で、順次に濃度が変化する一連のカラーパッチを含んだ所定のカラーチャートを読み込んで、各カラーパッチに対応するＣＭＹ値を得る。図１に示す原稿画像１１はカラーチャートを表わしている画像ではないが、この原稿画像１１に替えてカラーチャートを読み込んだものとする。そして、そのカラーチャートを構成する各カラーパッチを分光測色計４０で測色してＬａｂ値を得る。このように得られたＣＭＹ値とＬａｂ値とを対応づけることにより、ＣＭＹ色空間とＬａｂ色空間との間での色変換をあらわすスキャナプロファイルＴが構築される。
【００５０】
次に、プリンタプロファイルについて説明する。
【００５１】
図５は、プリンタプロファイルの概念図である。
【００５２】
このプリンタプロファイル内には、ＲＧＢ色空間の座標（ＲＧＢ値：本発明にいう第１色空間の座標の一例）で定義された画像データのＲＧＢ値が入力され、そのＲＧＢ値を、上述したＬａｂ値に変換する順変換プロファイルＰと、その逆変換、すなわちＬａｂ値をＲＧＢ値に変換する逆変換プロファイルＰ-1が含まれている。
【００５３】
ここで、順変換プロファイルＰの基本的な作成方法を以下説明すると、まず、ＲＧＢ色空間内で等間隔に並ぶ一連の座標点に相当するＲＧＢ値を、図１に示すパーソナルコンピュータ２０で生成し、そのようなＲＧＢ値をカラープリンタ３０に送り、カラープリンタ３０ではそのＲＧＢ値に基づくカラーチャート３２をプリント出力する。
【００５４】
次に、このように出力されたカラーチャート３２を構成する各カラーパッチを分光測色計４０で測色してＬａｂ値を得る。こうして得られたＬａｂ値を上記ＲＧＢ値と対応づけることにより、カラープリンタ３０について、ＲＧＢ色空間とＬａｂ色空間との間での色変換を表す順変換プロファイルＰが構築される。
【００５５】
一方、逆変換プロファイルＰ-1は、順変換プロファイルＰに基づいて、Ｌａｂ色空間内で等間隔に並ぶ一連の座標点に相当するＬａｂ値に対応するＲＧＢ値を順変換プロファイルＰに基づいて求めることによって構築される。
【００５６】
尚、ここではカラープリンタ３０はＲＧＢ値に基づく画像を出力するプリンタであるとして説明しているが、例えばＣＭＹＫの網％データに基づいて画像を出力するプリンタに関しても、パーソナルコンピュータ２０でＣＭＹＫ空間で定義されたデータを発生させて、カラーチャートを出力することにより、同様にしてそのプリンタに適合したプリンタプロファイルを作成することができる。但しここでは、ＲＧＢ値に基づいて画像を出力するカラープリンタ３０を使用するものとして説明する。
【００５７】
このように作成されたプロファイルが用いられて色変換が行われる場合には、スキャナプロファイルＴとプリンタプロファイルが組み合わされて色変換が実行される。
【００５８】
図６は、スキャナプロファイルとプリンタプロファイルを組み合わせて用いる色変換の概念を表す図である。
【００５９】
この図６には、図１に示す画像出力システムで必要な、パーソナルコンピュータ２０で実行される色変換が示されている。この色変換では、スキャナ１０用の画像データを定義するＣＭＹ値がスキャナプロファイルＴによってＬａｂ値に変換され、次いでそのＬａｂ値が逆変換プロファイルＰ-1によって、プリンタ用の画像データを定義するＲＧＢ値に変換される。このようにして変換されたＲＧＢ値によって定義されるプリンタ用の画像データに基づいてカラープリンタ３０によって画像３１が出力されることにより、スキャナ１０で読みとられた原稿画像１１の色と同じ色の画像３１が得られることとなる。
【００６０】
なお、ここで説明したように途中でＬａｂ値を経る２段階の変換では計算速度が遅いので、図１に示すパーソナルコンピュータ２０では、予めスキャナプロファイルＴと逆変換プロファイルＰ-1との結合からなる結合プロファイルを作成しておいて、この結合プロファイルに従って色変換を行う。
【００６１】
以上説明したプロファイルについて更に詳細な構造を説明すると、ＩＣＣが提唱する規格では、以下説明する構造を採用することができる。
【００６２】
図７は、プロファイルの構造を表す構成図である。
【００６３】
この図７には、ＩＣＣが提唱する規格に準じて作成された、上述したプリンタプロファイル内の順変換プロファイルＰの構成が例示されている。
【００６４】
順変換プロファイルＰは、ＲＧＢ色空間におけるＲＧＢそれぞれの座標軸方向における色変換を表した第１の１次元変換テーブル６１と、ＲＧＢ色空間とＬａｂ色空間との間での色変換を表した多次元変換テーブル６２と、Ｌａｂ色空間におけるＬａｂそれぞれの座標軸方向における色変換を表した第２の１次元変換テーブル６３とを備えている。
【００６５】
ここで、第１の１次元変換テーブル６１は、ＲＧＢ値を構成するＲ，Ｇ，Ｂそれぞれの値を変換する互いに独立な３つの関数Ｒ’＝ｆ（Ｒ）、Ｇ’＝ｇ（Ｇ）、Ｂ’＝ｈ（Ｂ）を定義するものであり、同様に、第２の１次元変換テーブル６３は、Ｌａｂ値を構成するＬ、ａ、ｂそれぞれの値を変換する互いに独立な３つの関数を定義するものである。また、多次元変換テーブル６２は、ＲＧＢ値をＬａｂ値に変換する１つの関数（Ｌ，ａ，ｂ）＝Ｆ（Ｒ，Ｇ，Ｂ）を定義するものである。なお、本発明にいう１次元変換テーブルの一例に相当するのは、この図７では第１の１次元変換テーブル６１の方である。
【００６６】
このような構造は、ＩＣＣが提唱する規格に準拠した構造であり、図５に示す逆変換プロファイルＰ-1も同様の構造を有している。
【００６７】
なお、上述した基本的な作成方法によってプロファイルが作成される場合には、第１の１次元変換テーブル６１と第２の１次元変換テーブル６３は、いずれも等価変換を表しており、いわば素通しとなっている。
【００６８】
このようなプロファイルを作成する、本発明のプロファイル作成方法および本発明のプロファイル作成装置それぞれの実施形態について以下説明する。
【００６９】
上述したように、図１〜図３に示すパーソナルコンピュータ２０で本発明のプロファイル作成プログラムの一実施形態が起動されて実行されることにより、そのパーソナルコンピュータ２０が本発明のプロファイル作成装置の一実施形態として動作するとともに、パーソナルコンピュータ２０によって本発明のプロファイル作成方法の一実施形態が実行される。
【００７０】
図８は、本発明のプロファイル作成方法の一実施形態を示すフローチャートであり、図９は、本発明のプロファイル作成装置の一実施形態の機能ブロック図である。
【００７１】
パーソナルコンピュータ２０内では、図９の機能ブロックが示す機能構造が構築されて、図８に示されるフローチャートに従ってプロファイルが作成される。以下、これらの図を併せて説明する。
【００７２】
本発明のプロファイル作成装置の一実施形態として動作するパーソナルコンピュータ２０内には、階調補正曲線作成部７０とプロファイル作成部８０とプロファイル修正部９０とが構築される。これら階調補正曲線作成部７０、プロファイル作成部８０、およびプロファイル修正部９０は、それぞれ、本発明のプロファイル作成装置における、修正変換作成部、プロファイル作成部、およびプロファイル修正部の各一例に相当する。
【００７３】
また、パーソナルコンピュータ２０内で実行される動作は、大きく分けて３つの過程に分けられ、階調補正曲線を作成する過程（ステップＳ１〜ステップＳ５）と、プロファイルを作成する過程（ステップＳ６）とプロファイルを修正する過程（ステップＳ７）とを有する。これらの各過程は、階調補正曲線を作成する過程が、本発明のプロファイル作成方法における修正変換作成過程の一例に相当し、プロファイルを作成する過程が、本発明のプロファイル作成方法におけるプロファイル作成過程の一例に相当し、プロファイルを作成する過程が、本発明のプロファイル作成方法におけるプロファイル修正過程の一例に相当している。
【００７４】
以下、フローチャートの各ステップを追いながら説明する。
【００７５】
先ず、階調補正曲線作成部７０で、ＲＧＢ各色の単色に関するキャリブレーション用のチャートが出力される（図８のステップＳ１）。階調補正曲線作成部７０には、ＲＧＢ各色それぞれの濃度が順次に変わる各一連の単色パッチをＲＧＢ値で表した単色パッチデータ７１が用意されており、この単色パッチデータ７１が、この時点では単なる素通しを意味する階調補正曲線７２を経てカラープリンタ３０へと出力され、チャート３２として、その各一連の単色パッチを有する、以下説明する単色チャートが出力される。
【００７６】
図１０は、単色チャートを表す図である。
【００７７】
この単色チャート３２＿１には、ＲＧＢ各色について、一例として２１個ずつの単色パッチ３３＿１が用意されている。また、それら２１個の単色パッチ３３＿１は、ＲＧＢ各色の濃度が順次に変化するように並べられている。
【００７８】
これらの単色パッチ３３＿１それぞれについて、図９に示す分光測色計４０によってＲＧＢの各濃度値が測定され、測定値７５として階調補正曲線作成部７０に入力される。階調補正曲線作成部７０の修正部７６は、このときの測定値７５が表すＲＧＢの各濃度値と、単色パッチデータ７１との理想的な対応関係を保持しており、実際のＲＧＢの各濃度値と単色パッチデータ７１との対応関係がその理想的な対応関係からずれている分を打ち消すような階調補正を表したものとなるように階調補正曲線７２を修正する。この修正によって実質的に最初の階調補正曲線が作成される（図８のステップＳ２）。
【００７９】
このように作成された階調補正曲線７２は、プロファイル作成部８０の階調補正曲線８２としてコピーされ、この階調補正曲線８２による階調補正を前提としたプロファイルが作成される（図８のステップＳ３）。プロファイル作成部８０には、ＲＧＢ色空間に例えば等間隔に並ぶ一連の座標点それぞれに対応するカラーパッチを有する、プロファイル作成用のカラーチャートを表すチャートデータ８１が用意されており、このチャートデータ８１が階調補正曲線８２に従う階調補正を経てカラープリンタ３０へと出力され、チャート３２として、今度はプロファイル作成用のカラーチャートが出力される。そして、そのカラーチャートを構成する各カラーパッチの色が分光測色計４０によって測定されて測色値８３が得られ、プロファイル作成部８０によってその測色値８３とチャートデータ８１とが対応付けられてプロファイル８４が作成される。このように作成されたプロファイル８４は、カラープリンタ３０に対応したプリンタプロファイルであるが、最終的なプロファイルを作成するための中間的な存在である。
【００８０】
このプロファイル８４は、階調補正曲線作成部７０内のプロファイル７４としてコピーされ、このプロファイル７４が用いられて階調補正曲線作成部７０で、ＲＧＢの混色のグレーに関するキャリブレーション用のチャートが出力される（図８のステップＳ４）。階調補正曲線作成部７０には、明度が順次に変わる一連のグレーをＬａｂ値で表したグレーパッチデータ７３も用意されており、このグレーパッチデータ７３のＬａｂ値がプロファイル７４を介してＲＧＢ値に変換され、その後、階調補正曲線７２が表す階調補正を経てカラープリンタ３０へと出力され、チャート３２として、その一連のグレーそれぞれに対応する一連のグレーパッチを有する、以下説明するグレーチャートが出力される。
【００８１】
図１１は、グレーチャートを表す図である。
【００８２】
このグレーチャート３２＿２には、一例として１３個のグレーパッチ３３＿２が用意されており、それら１３個のグレーパッチ３３＿２は、明度が順次に変化するように並べられている。また、これら１３個のグレーパッチ３３＿２の色は、ＲＧＢの混色によって表現されており、各グレーパッチ３３＿２の色が分光測色計４０によって測定されて測色値が得られ、測定値７５として階調補正曲線作成部７０に入力される。階調補正曲線作成部７０の修正部７６は、このときの測定値７５が表す測色値をプロファイル７４でＲＧＢ値に変換し、そのＲＧＢ値を、上述したグレーパッチデータ７３のＬａｂ値がプロファイル７４を介して変換されたＲＧＢ値と比較して、それらＲＧＢ値相互のずれを打ち消すように階調補正曲線７２を修正する（図８のステップＳ５）。
【００８３】
ここまで説明したステップＳ１〜ステップＳ５の手順は、必要な回数繰り返すことができ、これらの手順を繰り返すことによってキャリブレーションの精度が向上する。
【００８４】
そのようにステップＳ１〜ステップＳ５の手順が繰り返された後、最終的に得られた階調補正曲線７２が、プロファイル作成部８０の階調補正曲線８２としてコピーされ、この階調補正曲線８２による階調補正を前提としたプロファイルが最終的なプロファイル８４として作成される（図８のステップＳ６）。そして、これら最終的に得られた階調補正曲線７２および最終的なプロファイル８４が、プロファイル修正部９０で用いられる階調補正曲線９１およびプロファイル９２としてコピーされ、プロファイル修正部９０では、プロファイル９２における、図７の構造図に示した第１の１次元変換テーブル６１に、階調補正曲線９１が組み込まれてプロファイルが修正される。修正前のプロファイル９２における第１の１次元変換テーブルはいわば素通しであり、ここでは、修正前の第１の１次元変換テーブルが、単純に、階調補正曲線９１を表す変換テーブルに置き換えられることによってプロファイル９２が修正される（図８のステップＳ７）。このような修正によって、修正後のプロファイル９２には、階調補正曲線９１に基づいたキャリブレーションの機能が組み込まれたこととなり、この修正後のプロファイル９２が用いられて、ＩＣＣが提唱する規格に準拠した色変換が行われると、色変換とともにキャリブレーションも実現される。
【００８５】
なお、プロファイル作成部８０では、プロファイルの作成に当たり、上述した作成手順による作成に替えて、第１の１次元変換テーブルが素通しとならないような作成を行う場合もあり、その場合には、プロファイル修正部９０で、その１次元変換テーブルが表す関数と階調補正曲線９１が表す関数との合成関数を表す変換テーブルがその１次元変換テーブルと置き換えられることによってプロファイル９２が修正される。
【００８６】
次に、本発明のプロファイル作成プログラムの一実施形態、および本発明のプロファイル作成プログラム記憶媒体の一実施形態について説明する。
【００８７】
図１２は、本発明のプロファイル作成プログラムの一実施形態、および本発明のプロファイル作成プログラム記憶媒体の一実施形態を示す図である。
【００８８】
この図１２に示すプロファイル作成プログラム記憶媒体５２は、プロファイル作成プログラム３００が記憶された記憶媒体であればその種類を問うものではなく、例えばＣＤ−ＲＯＭにこのプロファイル作成プログラム３００が格納されているときはそのＣＤ−ＲＯＭを指し、そのプロファイル作成プログラム３００がローディングされてハードディスク装置に記憶されたときはそのハードディスク装置を指し、あるいはそのプロファイル作成プログラム３００がフレキシブルディスクにダウンロードされたときはそのフレキシブルディスクを指す。さらに、このプロファイル作成プログラム記憶媒体５２は、ＭＯディスクやＤＶＤであってもよく、あるいはカード型やテープ型の記憶媒体であってもよい。
【００８９】
このプロファイル作成プログラム３００は、図１〜３に示すパーソナルコンピュータ２０内で実行され、そのパーソナルコンピュータ２０を、上述したプロファイル作成装置として動作させるものであり、階調補正曲線作成部３１０とプロファイル作成部３２０とプロファイル修正部３３０とを有する。
【００９０】
これら階調補正曲線作成部３１０、プロファイル作成部３２０、およびプロファイル修正部３３０は、それぞれ、本発明にいうプロファイル作成プログラムにおける、修正変換作成部、プロファイル作成部、およびプロファイル修正部の各一例に相当する。また、これら階調補正曲線作成部３１０、プロファイル作成部３２０、およびプロファイル修正部３３０は、それぞれ、図８で説明した、階調補正曲線を作成する過程（ステップＳ１〜ステップＳ５）、プロファイルを作成する過程（ステップＳ６）、およびプロファイルを修正する過程（ステップＳ７）を実行する役割を担っている。さらに、ここに示すプロファイル作成プログラム３００を構成する、階調補正曲線作成部３１０、プロファイル作成部３２０、およびプロファイル修正部３３０は、図９に示す階調補正曲線作成部７０、プロファイル作成部８０、およびプロファイル修正部９０にそれぞれ対応するが、図９の各要素は、図１などに示すパーソナルコンピュータ２０のハードウェアとそのパーソナルコンピュータで実行されるＯＳやアプリケーションプログラムとの組合せで構成されているのに対し、図１２に示すプロファイル作成プログラムの各要素はそれらのうちのアプリケーションプログラムのみにより構成されている点が異なる。
【００９１】
上述したように、このようなプロファイル作成プログラム記憶媒体５２がパーソナルコンピュータ２０内に装填されプロファイル作成プログラム３００がローディングされて実行されることにより、上述したプロファイル作成装置を容易に実現することができる。
【００９２】
なお、上記説明では、入力デバイスが接続され、入力デバイスで得られた画像データに基づいて画像を出力する画像出力システムに本発明を応用する例について説明したが、本発明は、例えば、カラーモニタなどといった他の出力デバイス用の画像データを自システム内の出力デバイス用に変換して画像を出力する画像出力システムに応用することもできる。このように本発明が応用される場合には、図６に示す色変換に替えて、出力デバイスの相違を修正する色変換が行われることとなる。
【００９３】
図１３は、出力デバイスの相違を修正する色変換の概念を表す図である。
【００９４】
この図１３に示す色変換では、他の出力デバイス用の画像データを定義する例えばＲＧＢ値（ここではＲＧＢ１）が、その出力デバイスに対応したプロファイルの順変換プロファイルＰ（１）によってＬａｂ値に変換され、次いでそのＬａｂ値が、自システム内の出力デバイスに対応したプロファイルの逆変換プロファイルＰ（２）-1によって、自システム用の画像データを定義するＲＧＢ値（ここではＲＧＢ２）に変換される。このような変換によって、出力デバイスの相違による出力色の相違が修正されることとなる。
【００９５】
なお、上記実施形態の説明では、出力デバイスの一種に相当するカラープリンタのプリンタプロファイルが作成される例が示されているが、本発明は、カラーモニタなどといった他の出力デバイスのプロファイルの作成や、入力デバイスのプロファイルの作成などに応用することもできる。
【００９６】
また、上記実施形態の説明では、デバイスに非依存の色空間としてＬａｂ色空間が例示されているが、本発明にいう、任意デバイスに対して非依存の第１色空間は、ＸＹＺ色空間であってもよく、あるいはｓＲＧＢ色空間やＬｕｖ色空間等であってもよい。
【図面の簡単な説明】
【００９７】
【図１】本発明が適用される画像出力システムの全体構成図である。
【図２】分光測色計およびパーソナルコンピュータの外観斜視図である。
【図３】パーソナルコンピュータのハードウェア構成図である。
【図４】スキャナプロファイルの概念図である。
【図５】プリンタプロファイルの概念図である。
【図６】スキャナプロファイルとプリンタプロファイルを組み合わせて用いる色変換の概念を表す図である。
【図７】プロファイルの構造を表す構成図である。
【図８】本発明のプロファイル作成方法の一実施形態を示すフローチャートである。
【図９】本発明のプロファイル作成装置の一実施形態の機能ブロック図である。
【図１０】単色チャートを表す図である。
【図１１】グレーチャートを表す図である。
【図１２】本発明のプロファイル作成プログラムの一実施形態、および本発明のプロファイル作成プログラム記憶媒体の一実施形態を示す図である。
【図１３】出力デバイスの相違を修正する色変換の概念を表す図である。
【符号の説明】
【００９８】
１０    カラースキャナ
１１    原稿画像
２０    パーソナルコンピュータ
３０    カラープリンタ
３１    画像
３２    チャート
３２＿１    単色チャート
３２＿２    グレーチャート
３３＿１    単色パッチ
３３＿２    グレーパッチ
４０    分光測色計
４１    ケーブル
５０    フレキシブルディスク（ＦＤ）
５１    ＣＤ−ＲＯＭ
５２    プロファイル作成プログラム記憶媒体
６１    第１の１次元変換テーブル
６２    多次元変換テーブル
６３    第２の１次元変換テーブル
７０    修正変換作成部
７１    単色パッチデータ
７２    階調補正曲線
７３    グレーパッチデータ
７４    プロファイル
７５    測定値
７６    修正部
８０    プロファイル作成部
８１    チャートデータ
８２    階調補正曲線
８３    測色値
８４    プロファイル
９０    プロファイル修正部
９１    階調補正曲線
９２    プロファイル
３００    プロファイル作成プログラム
３１０    階調補正曲線作成部
３２０    プロファイル作成部
３３０    プロファイル修正部
Ｔ    スキャナプロファイル
Ｐ、Ｐ（１）    順変換プロファイル
Ｐ-1、Ｐ（２）-1    逆変換プロファイル
【図１】
2005141676.tif 000003
【図２】
2005141676.tif 000004
【図３】
2005141676.tif 000005
【図４】
2005141676.tif 000006
【図５】
2005141676.tif 000007
【図６】
2005141676.tif 000008
【図７】
2005141676.tif 000009
【図８】
2005141676.tif 000010
【図９】
2005141676.tif 000011
【図１０】
2005141676.tif 000012
【図１１】
2005141676.tif 000013
【図１２】
2005141676.tif 000014
【図１３】
2005141676.tif 000015